(57)【要約】      （修正有）【課題】骨盤の前方変位、後方変位等の変位状態を簡単に矯正できるようにした骨盤矯正ブロックを提供する。【解決手段】中空部４と、切り欠き部３とを有する円柱２であって、円柱は、高さ３０ｃｍ以上４０ｃｍ以下、外径１２ｃｍ以上１６ｃｍ以下であり、中空部は、内径２ｃｍ以上７ｃｍ以下であり、切り欠き部は、円柱の側面の長尺方向の中心にあり、中空部と連結し、１５０度以上１７０度以下のＶ字型である、骨盤矯正用クッション。【選択図】図１
2019076680.tif 000002
【特許請求の範囲】
【請求項１】
中空部と、切り欠き部とを有する円柱であって、前記円柱は、高さ３０ｃｍ以上４０ｃｍ以下、外径１２ｃｍ以上１６ｃｍ以下であり、前記中空部は、内径２ｃｍ以上７ｃｍ以下であり、前記切り欠き部は、前記円柱の側面の長尺方向の中心にあり、前記中空部と連結し、１５０度以上１７０度以下のＶ字型である骨盤矯正用クッション。
【請求項２】
前記円柱が、ＥＶＡ樹脂、発泡オレフィン系樹脂またはＥＰＥポリエチレンからなる請求項１に記載の骨盤矯正用クッション。
【請求項３】
前記円柱の側面の長尺方向において、前記切り欠き部を挟んで対向する２以上の支持部をさらに有する、請求項１または２に記載の骨盤矯正用クッション。
【請求項４】
前記支持部が、低反発スポンジ、低反発ウレタン、発泡オレフィン系樹脂またはＮＲスポンジゴムからなる請求項１〜３のいずれか１項に記載の骨盤矯正用クッション。
【請求項５】
前記支持部の厚さが、１ｃｍ以上３ｃｍ以下である、請求項１〜４のいずれか１項に記載の骨盤矯正用クッション。
【発明の詳細な説明】
【技術分野】
【０００１】本発明は、数あるカイロプラクティックの中でも三角ブロックに改良を加えた安全で効果の高い骨盤矯正クッションです。
【背景技術】
【０００２】骨盤の前方変位、後方変位等の変位状態を簡単に矯正できるようにした骨盤矯正ブロックに関するものである。
【先行技術文献】
【特許文献】
【０００３】
【特許文献１】特開平０８−１０７９０８号
【発明の概要】
【課題を解決するための手段】
【０００４】上記のような骨盤矯正では、体格によって骨盤に掛かる負荷が半減される。
特に腹部に脂肪が多くある場合、骨盤矯正の機能が低下する。
傾斜角度が急である為、骨盤の上前腸骨棘の接触部分の面積が小さい傾向がある。
【発明の効果】
【０００５】特開平０８−１０７９０８号は体格によって骨盤に掛かる負荷が半減されるが骨盤矯正クッションは、小柄な人から大柄な人まで、骨盤に掛かる負荷が均一。
特開平０８−１０７９０８号は腹部に脂肪が多くある場合、骨盤矯正の機能が低下するが、骨盤矯正用クッションは、中央部に腹部が納まる部分があり機能低下がない。
特開平０８−１０７９０８号傾斜角度が急である為、骨盤の上前腸骨棘の接触部分の面積が小さいが、骨盤矯正用クッションは傾斜角度が鈍角である為接触部分が大きい。
【図面の簡単な説明】
【０００６】
【図１】図面は本発明の一実施例を示す斜視図。
【図２】本発明の斜視図。
【図３】本発明を側面図。
【図４】本発明のクッション調整を示す側面図。
【図５】実施形態に係る骨盤矯正用クッションの使用状態を示す側面図。
【図６】骨盤矯正用クッションを支持した状態を示す正面図。
【発明を実施するための形態】
【０００７】本発明は、図１〜図３に示すように、中空部と、切り欠き部とを有する円柱であって前記円柱は、高さ３０ｃｍ以上４０ｃｍ以下、外径１２ｃｍ以上１６ｃｍ以下であり、前記中空部は内径２ｃｍ以上７ｃｍ以下であり、前記切り欠き部は、前記円柱の側面の長尺方向の中心にあり、前記中空部と連結し、１５０度以上１７０度以下のＶ字型である骨盤矯正用クッションである。本発明は、図５及び図６に示すように、床の下にＭ字型の骨盤矯正用クッションを置き、骨盤の上前腸骨棘の左右２箇所を一定の角度で平均的に自分の体重を利用しながらゆっくりと上前腸骨棘に負荷をかけることで無理なく安全に使用して骨盤矯正できる。
【０００８】本発明は前記円柱が、ＥＶＡ樹脂、発泡オレフィン系樹脂またはＥＰＥポリエチレンからなることが好ましい。
骨盤の歪みを短時間で（１回に対し５分〜１０分程度）を目安に１日３回を目安として、およそ２〜３ヶ月で体に無理なく骨盤矯正する事が可能。
【０００９】本発明は前記円柱の側面の長尺方向において、前記切り欠き部を挟んで対向する２以上の支持部をさらに有することが好ましい。
身長１６０ｃｍ〜１７５ｃｍの方なら男性、女性、体格に関係なく上記の方法でうつ伏せになるだけで自分の体に最も適した角度で、使用中の痛みは殆どありません。また、上前腸骨棘を正常の位置に戻す事により背骨の歪みを修正し姿勢もよくなります。
【００１０】本発明は前記支持部が、低反発スポンジ、低反発ウレタン、発泡オレフィン系樹脂またはＮＲスポンジゴムからなることが好ましい。
今回の発明の骨盤矯正クッションが矯正できる根拠としては理学療法の基本的知識であり、評価法である徒手筋力テストの概念と手技を中心に解説している、ケンダル著「機能とテスト  姿勢と痛み」を参考。
【００１１】本発明は前記支持部の厚さが、１ｃｍ以上３ｃｍ以下であることが好ましい。
骨盤矯正クッションとなる土台に当たるポール部分の素材はＥＰＥポリエチレンを使用。スチロールと比べ柔軟で耐久性にも優れ割れにくいのが特徴。上前腸骨棘が当たるクッション素材は弾力性と反発力の強いＮＲスポンジゴムを使用し上前腸骨棘の左右の骨の痛みを軽減。更にポール部分とＮＲスポンジゴムの接触部分にマジックテープが貼られているため交換が可能。スポンジゴムの厚さ２ｃｍ長さを１２，５ｃｍと大きく取ることで小柄な人から大柄な人まで対応可能で骨盤矯正クッションの全体の重さは約３００グラムである。
【００１２】本発明は図４を示すように個人差により骨盤への吸収が違うためオプションとして衝撃調整部の調節が可能である。衝撃調整部の素材はＥＰＥポリエチレンを使用。衝撃調整部の厚さが６ｃｍ以上８ｃｍ以下であり長さは１２ｃｍ以上１５ｃｍ以下が好ましい。
【００１３】本発明は骨盤の調整や姿勢これを正しい状態にすることを目的としている。通常、骨盤や背骨は長年の生活や作業時の姿勢の癖で傾きや歪みが生じる。骨盤の歪みは最大でも数ミリ程度と言われるが、体全体に大きな作用（不良姿勢、肩こり、腰痛など）を及ぼしていると考えられている。
本発明の図５を示すようにうつ伏せで乗ると、骨盤矯正用クッションの反発で骨盤が押されることにより、骨盤が後ろに傾き、前傾していた骨盤は正しい位置へと変化する。
【００１４】本発明は、図６を示すように骨盤には股関節や足の骨との位置関係によって、「ゆるみの位置」と「締まりの位置」がある。骨盤矯正用クッションの上に乗ることで、仙腸関節がゆるみの位置となるために、骨盤の状態が調整しやすくなる。この位置は股関節周辺のそれぞれの骨が近づくので、股関節も正しい状態に戻すことが可能である。
【００１５】本発明は図５を例として両足のつま先を少し床から浮かす事で骨盤の上前腸骨棘に程よい負荷を掛けることができ、更に股関節周辺の筋肉も強化に繋がり腰痛改善への効果が早まる。
【００１６】本発明は骨盤の調整や姿勢これを正しい状態にすることを目的としている。骨盤の歪みの原因として「００１３」の他に猫背や肩こり、便秘など様々な悪影響を及ぼす。本発明の骨盤矯正用クッションはこのような状況においても改善へと導く。
【００１７】本発明の骨盤矯正用クッションは衝撃調整部も含め総重量３５０グラム以内であるため気軽に持ち運べるという利点がある。
【００１８】本発明である骨盤矯正用クッションの円柱部はストレッチポールの素材にも使用され高い耐久性を誇り、その信頼からスポーツジムなどでも活用されている。
【００１９】本発明は健康面や美容面に嬉しい効果を発揮します。猫背などの前かがみになりやすい姿勢の矯正にも効果があり、歪んだ状態をリセットすることで正しい姿勢を身につけることができる。こういった猫背の姿勢も骨盤が歪むことでおきると考えられており年齢以上に見えてしまうこともあり骨盤矯正クッションを使って戻してあげることが大切である。
【００２０】本発明には副交感神経を刺激しリラックス効果を得ること、睡眠の質の向上にも効果を発揮するとしている。睡眠の質が悪く慢性的に疲れが取れない人にも骨盤矯正用クッションは有効と言える。
【００２１】本発明には「００１５」を例としてインナーマッスルを鍛える効果もあり、適度な筋肉がつけば美しい姿勢を保つことにも繋がる。
【００２２】本発明は図２が示すようにＶ字型であるため骨盤の広がりを防ぐ効果がある。
【００２３】本発明は、図３を示すように、円柱状の下部分を水平に切除してあるため、通常のストレッチポールと違い安定性が保たれる。
【００２４】本発明は骨盤を正常な位置に戻すことで背骨の捻れを元に戻す事により、背骨のゆがみによって邪魔されていた、神経伝達機能を回復させる。さらに脳脊髄液の流れが良くなることで、患者さん自身の自然治癒力を高める効果がある。
【００２５】本発明は丈夫さと耐久性に優れたＥＰＥポリエチレンを使用していますので、型崩れしにくく軽量で持ち運びに便利です。また、水洗いが可能で清潔に保つことができるメリットがある。
【００２６】本発明は図５を例として足のつま先を交互に浮かす事で「大腿二頭筋」「半膜様筋」「半腱様筋」が鍛えられハムストリング効果で腰痛改善の効果が得られる。
【００２７】本発明はカイロプラクティックの施術で使用される三角ブロックを改良した骨盤矯正用クッションである。図５を例として骨盤からアプローチし、骨盤自体や背骨（腰椎、胸椎、頚椎）、各種関節の調整を行う。また、後頭骨と仙骨を調整し背骨の捻れを元に戻す事で、脳脊髄液の流れが良くなり自然治癒力が高まる。
【００２８】本発明は腰痛の悩みである症状としては、ぎっくり腰・慢性腰痛・椎間板ヘルニア・坐骨神経痛・自律神経失調・適応障害など幅広く適応できる。
【符号の説明】
【００２９】１：支持部
２：円柱
３：切り欠き部
４：中空部
５：円柱側面部
６：円柱側面部
７：衝撃調整部
【図１】
2019076680.tif 000003
【図２】
2019076680.tif 000004
【図３】
2019076680.tif 000005
【図４】
2019076680.tif 000006
【図５】
2019076680.tif 000007
【図６】
2019076680.tif 000008